(57)【要約】【課題】通信時の送信信号がカメラの撮影動作に与える影響を抑え、安定した高いカメラ性能を備えた移動通信端末を提供すること。【解決手段】それぞれが独立に無線回路に接続可能である複数のアンテナと、前記複数のアンテナの内の1つを選択して前記無線回路に接続する切替え回路と、画像を撮像するためのカメラとを備える移動通信端末装置において、通信中の前記カメラ動作時に選択すべきアンテナを、送信電力に対応付けて予め設定して記憶する手段と、通信中の前記カメラ動作時に前記予め設定されたアンテナに切替えて、前記無線回路に接続する制御手段を備えることで、通信時にはその送信電力に応じて、カメラの撮影データに対する影響度が低くなるアンテナを対応付け切り替えるように制御する。【選択図】図１
2007259199.tif 000002
【特許請求の範囲】
【請求項１】
それぞれが独立に無線回路に接続可能である複数のアンテナと、前記複数のアンテナの内の１つを選択して前記無線回路に接続する切替え回路と、画像を撮像するためのカメラとを備える移動通信端末装置において、通信中の前記カメラ動作時に選択すべきアンテナを、送信電力に対応付けて予め設定して記憶する手段と、通信中の前記カメラ動作時に前記予め設定されたアンテナに切替えて、前記無線回路に接続する制御手段を備えることを特徴とする移動通信端末装置。
【請求項２】
それぞれが独立に無線回路に接続可能である複数のアンテナと、前記複数のアンテナの内の１つを選択して前記無線回路に接続する切替え回路と、画像を撮像するためのカメラと、内部回路の統括的な制御を行うマイクロプロセッサと、を備える移動通信端末装置において、前記マイクロプロセッサは、通信中の前記カメラ動作時に選択すべきアンテナを、送信電カに対応付けて予め設定して記憶し、通信中の前記カメラ動作時に前記予め設定されたアンテナに切替えて、前記無線回路に接続する制御手段を備えることを特徴とする移動通信端末装置。
【請求項３】
それぞれが独立に無線回路に接続可能である複数のアンテナと、前記複数のアンテナの内の１つを選択して前記無線回路に接続する切替え回路と、画像を撮像するためのカメラと、内部回路の統括的な制御を行うマイクロプロセッサと、を備える移動通信端末装置において、前記マイクロプロセッサは、通信中の前記カメラ動作時に選択すべきアンテナを、送信電力に対応付けて予め設定して記憶し、通信中の前記カメラ動作時に前記予め設定されたアンテナに切替えて、前記無線回路に接続する制御を行うように前記マイクロプロセッサを機能させるプログラムを記憶するプログラム記憶部を備えることを特徴とする移動通信端末装置。
【請求項４】
それぞれが独立に無線回路に接続可能である複数のアンテナと、前記複数のアンテナの内の１つを選択して前記無線回路に接続する切替え回路と、画像を撮像するためのカメラと、内部回路の統括的な制御を行うマイクロプロセッサと、を備える移動通信端末装置において、前記マイクロプロセッサを、通信中の前記カメラ動作時に選択すべきアンテナを、送信電力に対応付けて予め設定して記憶する手段、通信中の前記カメラ動作時に前記予め設定されたアンテナに切替えて、無線回路に接続する制御手段、として機能させるためのアンテナ切替え制御プログラム。
【請求項５】
それぞれが独立に無線回路に接続可能である複数のアンテナと、前記複数のアンテナの内の１つを選択して前記無線回路に接続する切替え回路と、画像を撮像するためのカメラと、内部回路の統括的な制御を行うマイクロプロセッサと、を備える移動通信端末装置において、前記マイクロプロセッサを、通信中の前記カメラ動作時に選択すべきアンテナを、送信電力に対応付けて予め設定して記憶する手段、通信中の前記カメラ動作時に前記予め設定されたアンテナに切替えて、前記無線回路に接続する制御手段、として機能させるためのアンテナ切替え制御プログラムを記憶するプログラム記憶装置。
【請求項６】
それぞれが独立に無線回路に接続可能である複数のアンテナと、前記複数のアンテナの内の１つを選択して前記無線回路に接続する切替え回路と、画像を撮像するためのカメラとを備える移動通信端末装置のアンテナ切替え制御部において、通信中の前記カメラ動作時に選択すべきアンテナを、送信電カに対応付けて予め設定して記憶する手段と、通信中の前記カメラ動作時に前記切替え回路を制御して前記予め設定されたアンテナに切替えて、前記無線回路に接続する制御手段と、を備えることを特徴とするアンテナ切替え制御部。
【請求項７】
それぞれが独立に無線回路に接続可能である複数のアンテナと、前記複数のアンテナの内の１つを選択して前記無線回路に接続する切替え回路と、画像を撮像するためのカメラと、前記切替え回路および前記カメラを制御するマイクロプロセッサと、を備える移動通信端末装置のアンテナ切替え方法において、前記マイクロプロセッサが前記カメラの動作を検知するステップと、前記マイクロプロセッサが通信中に前記カメラが動作していることを検知したならぱ、前記切替え回路を制御し、各送信電カに対応付けて予め定めたアンテナと前記無線回路とを接続するステップと、を備えることを特徴とするアンテナ切替え方法。
【発明の詳細な説明】
【技術分野】
【０００１】
本発明は、複数のアンテナとカメラとを備える移動通信端末装置および前記複数のアンテナの切替え制御方法に関する。
【背景技術】
【０００２】
昨今の移動通信の発達に伴い、移動端末装置の高機能化が進んでいる。特にＣＣＤ（Ｃｈａｒｇｅ  Ｃｏｕｐｌｅｄ  Ｄｅｖｉｃｅｓ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などの光に反応する半導体素子を使って映像を電気信号に変換し、デジタルデータとしてフラッシュメモリなどの記憶媒体に記憶するカメラの内蔵は一般的になってきている（例えば特許文献１参照）。一方、通信機能としては音声通信のみならず、ブラウジング、メール等のデータ通信、さらには前記カメラから取り込んだデジタル画像データの送受信、テレビ電話機能等が搭載されており、このような多様な通信形態において、常に良好な無線性能を実現するため移動通信端末に複数のアンテナを備え、適宜切替え制御を行う機能もまた一般的になってきている（例えば特許文献２参照）。
【０００３】
図５は複数のアンテナとカメラとを備える移動通信端末装置の基本構成を示す図である。図５において１０１は第１アンテナ、１０２は第２アンテナ、１０３は第１アンテナ１０１、第２アンテナ１０２の内からいずれか一方を選択し切替えるアンテナ切替え回路、１０４は周波数の異なる送信、受信の高周波経路を結合するためのデュプレクサ、１０５は送信回路、１０６は受信回路、１０８はカメラ、５０１は送受信するデータの処理や各構成部を制御するための演算を行うＣＰＵ（Ｃｅｎｔｒａｌ  Ｐｒｏｃｅｓｓｉｎｇ  Ｕｎｉｔ）、５０２はＣＰＵ５０１の演算に必要なプログラムが格納されるＲＯＭ（Ｒｅａｄ  Ｏｎｌｙ  Ｍｅｍｏｒｙ）、５０３はＣＰＵ５０１が演算を行う上で必要なデータなどカが適宜記憶されるＲＡＭ（Ｒａｎｄｏｍ  Ａｃｃｅｓｓ  Ｍｅｍｏｒｙ）、１１２はインタフェースである。図５では送信回路と受信回路の高周波信号の分離・結合はデュプレクサにて行っているが、無線アクセス方式がＴＤＭＡ（Ｔｉｍｅ  Ｄｉｖｉｓｉｏｎ  Ｍｕｌｔｉｐｌｅ  Ａｃｃｅｓｓ）である無線通信システムに対応する移動通信端末装置では、高周波スイッチにて選択的に切り替える構成になっているものもある。
【０００４】
以上のような構成の移動通信端末装置における受信回路の受信電力は、基地局からの距離や障害物の有無などの物理的な条件、特に移動時においてはフェージングなどの電波伝播特性によって絶えず変化している。特に移動通信に用いられる比較的高い周波数においては、アンテナの位置が数ミリ〜数センチ異なるだけで、受信電カに大きな差が見られる。さらに、図６に示すように音声通信、ブラウジング、メール、テレビ電話など様々な通信形態によって、使用者が移動通信端末装置を保持する形態が異なっており、これによって、移動通信端末に備えられた物理的な位置関係と人体近接の影響から、各アンテナの性能に優劣が発生する。さらに移動通信端末に備えられる複数のアンテナには、筐体の外部に突出配置されるヘリカルアンテナやホイップアンテナ、筐体内部に配置される板状アンテナ、棒状アンテナおよびチップアンテナ、さらには筐体そのものをアンテナに見立てた筐体アンテナなど様々な方式のものが採用されている。このような状況から、複数備えたアンテナの中から、高い受信信号電力が得られるアンテナを適宜選択し切替えるよう制御がなされているのが一般的である。
【特許文献１】特開２００３−１５２８４７号公報（第１６頁、図２）
【特許文献２】特開２００３−７８４７３号公報（第８頁、図１）
【発明の開示】
【発明が解決しようとする課題】
【０００５】
しかしながらこのような従来の移動通信端末装置においては、通信時に受信信号電力だけを元にアンテナを選択すると、選択したアンテナがカメラ本体、或いは撮影データの処理回路、データ記憶回路と近接して配置されている場合には、アンテナから放射される送信信号がカメラ等に飛び込むことで影響を与え、撮影データにノイズを発生させてしまうという間題があった。特に移動通信端末装置の筐体そのものをアンテナに見立てたアンテナでは、比較的高いアンテナ利得が得られる一方、カメラをはじめとする筐体内容物との相互干渉が大きく、送信時に内部回路に影響を及ぼしてしまうという問題があった。
【０００６】
本発明は、上記従来の事情に鑑みててなされたものであって、カメラの動作中には通信時の送信信号が、映像を電気信号に変換し、デジタルデータとして記憶媒体に記憶するといった一連の撮影処理に与える影響を考慮した上で、最適なアンテナを選択し切替えることのできる移動通信端末装置およびアンテナ切替え方法を提供するものである。
【課題を解決するための手段】
【０００７】
本発明の請求項１に記載の移動通信端末装置は、それぞれが独立に無線回路に接続可能である複数のアンテナと、前記複数のアンテナの内の１つを選択して前記無線回路に接続する切替え回路と、画像を撮像するためのカメラとを備える移動通信端末装置において、通信中の前記カメラ動作時に選択すべきアンテナを、送信電カに対応付けて予め設定して記憶する手段と、通信中の前記カメラ動作時に前記予め設定されたアンテナに切替えて、前記無線回路に接続する制御手段を備えるという構成を有している。この構成により、送信電力に応じて、カメラの撮影データに対する影響度が低くなるアンテナをカメラ動作時に選択するように対応付けることで、通話中のカメラ画質劣化などの性能劣化を未然に防ぎ、通信時にも安定したカメラ性能を実現する優れた移動通信端末装置を提供することができる。
【０００８】
本発明の請求項２に記載の移動通信端末装置は、それぞれが独立に無線回路に接続可能である複数のアンテナと、前記複数のアンテナの内の１つを選択して前記無線回路に接続する切替え回路と、画像を撮像するためのカメラと、内部回路の統括的な制御を行うマイクロプロセッサと、を備える移動通信端末装置において、前記マイクロプロセッサは、通信中の前記カメラ動作時に選択すべきアンテナを、送信電力に対応付けて予め設定して記憶し、通信中の前記カメラ動作時に前記予め設定されたアンテナに切替えて、前記無線回路に接続する撤御手段を備えるという構成を有している。この構成により、送信電カに応じて、カメラの撮影データに対する影響度が低くなるアンテナをカメラ動作時に選択するように対店付けることで、通話中のカメラ画質劣化などの性能劣化を未然に防ぎ、通信時にも安定したカメラ性能を実現する優れた移動通信端末装置を提供することができる。
【０００９】
本発明の請求項３に記載の移動通信端末装置は、それぞれが独立に無線回路に接続可能である複数のアンテナと、前記複数のアンテナの内の１つを選択して前記無線回路に接続する切替え回路と、画像を撮像するためのカメラと、内部回路の統括的な制御を行うマイクロプロセッサと、を備える移動通信端末装置において、前記マイクロプロセッサは、通信中の前記カメラ動作時に選択すべきアンテナを、送信電力に対応付けて予め設定して記憶し、通信中の前記カメラ動作時に前記予め設定されたアンテナに切替えて、前記無線回路に接続する制御を行うように前記マイクロプロセッサを機能させるプログラムを記憶するプログラム記憶部を備えるという構成を有している。この構成により、送信電力に応じて、カメラの撮影データに対する影響度が低くなるアンテナをカメラ動作時に選択するように対応付けることで、通話中のカメラ画質劣化などの性能劣化を未然に防ぎ、通信時にも安定したカメラ性能を実現する優れた移動通信端末装置を提供することができる。
【００１０】
本発明の請求項４に記載のアンテナ切替え制御プログラムは、それぞれが独立に無線回路に接続可能である複数のアンテナと、前記複数のアンテナの内の１つを選択して前記無線回路に接続する切替え回路と、画像を撮像するためのカメラと、内部回路の統括的な制御を行うマイクロプロセッサと、を備える移動通信端末装置において、前記マイクロプロセッサを、通信中の前記カメラ動作時に選択すべきアンテナを、送信電力に対応付けて予め設定して記憶する手段、通信中の前記カメラ動作時に前記予め設定されたアンテナに切替えて、無線回路に接続する制御手段、として機能させるという構成を有している。この構成により、送信電カに応じて、カメラの撮影データに対する影響度が低くなるアンテナをカメラ動作時に選択するように対応付けることで、通話中のカメラ画質劣化などの性能劣化を未然に防ぎ、通信時にも安定したカメラ性能を実現する優れた移動通信端末装置を提供することカができる。
【００１１】
本発明の請求項５に記載のプログラム記憶装置は、それぞれが独立に無線回路に接続可能である複数のアンテナと、前記複数のアンテナの内の１つを選択して前記無線回路に接続する切替え回路と、画像を撮像するためのカメラと、内部回路の統括的な制御を行うマイクロプロセッサと、を備える移動通信端末装置において、前記マイクロプロセッサを、通信中の前記カメラ動作時に選択すべきアンテナを、送信電カに対応付けて予め設定して記憶する手段、通信中の前記カメラ動作時に前記予め設定されたアンテナに切替えて、前記無線回路に接続する制御手段、として機能させるためのアンテナ切替え制御プログラムを記憶するという構成を有している。この構成により、送信電カに応じて、カメラの撮影データに対する影響度が低くなるアンテナをカメラ動作時に選択するように対応付けることで、通話中のカメラ画質劣化などの性能劣化を未然に防ぎ、通信時にも安定したカメラ性能を実現する優れた移動通信端末装置を提供することができる。
【００１２】
本発明の請求項６に記載のアンテナ切替え制御部は、それぞれが独立に無線回路に接続可能である複数のアンテナと、前記複数のアンテナの内の１つを選択して前記無線回路に接続する切替え回路と、画像を撮像するためのカメラとを備える移動通信端末装置のアンテナ切替え制御部において、通信中の前記カメラ動作時に選択すべきアンテナを、送信電力に対応付けて予め設定して記憶する手段と、通信中の前記カメラ動作時に前記切替え回路を制御して前記予め設定されたアンテナに切替えて、前記無線回路に接続する制御手段と、を備えるという構成を有している。この構成により、送信電力に応じて、カメラの撮影データに対する影響度が低くなるアンテナをカメラ動作時に選択するように対応付けることで、通話中のカメラ画質劣化などの性能劣化を未然に防ぎ、通信時にも安定したカメラ性能を実現する優れた移動通信端末装置を提供することができる。
【００１３】
本発明の請求項７に記載のアンテナ切替え制御方法は、それぞれが独立に無線回路に接続可能である複数のアンテナと、前記複数のアンテナの内の１つを選択して前記無線回路に接続する切替え回路と、画像を撮像するためのカメラと、前記切替え回路および前記カメラを制御するマイクロプロセッサと、を備える移動通信端末装置のアンテナ切替え方法において、前記マイクロプロセッサが前記カメラの動作を検知するステップと、前記マイクロプロセッサが通信中に前記カメラが動作していることを検知したならば、前記切替え回路を制御し、各送信電力に対応付けて予め定めたアンテナと前記無線回路とを接続するステップと、を備えるという構成を有している。この構成により、送信電カに応じて、カメラの撮彰データに対する影響度が低くなるアンテナをカメラ動作時に選択するように対応付けることで、通話中のカメラ画質劣化などの性能劣化を未然に防ぎ、通信時にも安定したカメラ性能を実現する優れた移動通信端末装置を提供することができる。
【発明の効果】
【００１４】
本発明の移動通信端末装置、アンテナ切替え制御プログラム、プログラム記憶装置、アンテナ切替え制御部およぴアンテナ切替え制御方法によれぱ、通信時の送信信号がカメラの撮影動作に与える影響を抑えることで安定した高いカメラ性能を得ることができる。
【００１５】
また、本発明の移動通信端末装置、アンテナ切替え制御プログラム、プログラム記憶装置、アンテナ切替え制御部およびアンテナ切替え方法によれば、複数備えたアンテナのうちのひとつに、利得が非常に高い一方カメラヘの影響が大きいアンテナ（例えば移動通信端末装置の筐体そのものをダイポールアンテナに見立てたもの）を採用した場合に、カメラ非動作時やカメラ動作時でも送信電カが低い場合には前記利得の高いアンテナを使用し、カメラ動作時には送信電カに応じて補完的に他のアンテナを使用するように制御を行うことで、総合的に高い通話性能を得ることができる。
【発明を実施するための最良の形態】
【００１６】
以下、添付図面に基づき、本発明の第１および第２の実施形態を詳細に説明する。
【００１７】
（実施の形態１）
まず、図１乃至図３を参照して、本発明の第１実施形態における移動通信端末装置、アンテナ切替え部およびアンテナ切替え制御方法について説明する。
【００１８】
図１は本発明の第１実施形態における移動通信端末装置の構成例を示すブロック図である。
【００１９】
図１において１０１は第１アンテナ、１０２は第２アンテナ、１０３は第１アンテナ１０１、第２アンテナ１０２の内からいずれか一方を選択し切替えるアンテナ切替え回路、１０４は周波数の異なる送信、受信の高周波経路を結合するためのデュプレクサ、１０５は送信回路、１０６は受信回路、１０７は送信回路１０５および受信回路１０６の制御を行う送受信制御部、１０８はカメラ、１０９はカメラ１０８の動作制御を行うカメラ動作制御部、１１０はカメラ１０８の動作時に選択すべきアンテナを予め設定して記憶する記憶部、１１１はカメラ動作時に記憶部１１０に記憶された情報を読み出し、カメラ動作時に対応付けられたアンテナに切替えるようにアンテナ切替え回路１０３の制御を行うアンテナ切替え制御部、１１２は各構成部間の信号を受け渡すインタフェースである。ここでは、送信回路１０５と受信回路１０６の分離・結合はデュプレクサ１０４で実現したが、対応する移動通信システムの無線アクセス方式がＴＤＭＡ方式の場合には、高周波スイッチにて経路を選択的に切り替えるように構成しても良い。またここでは、各構成部の制御部は個々に配置したが、単一の制御部に全ての機能を持たせるようこ構成しても良い。
【００２０】
図２は、記憶部１１０に、カメラ動作状態、待ち受けおよび通話の通信状態、さらに通信中の各送信電力にそれぞれ対応付けて記憶される、選択するアンテナを示す図である。
【００２１】
図３は、印加電圧によるアンテナ切替え制御の一例を示す図である。
【００２２】
以下図１乃至図３を参照して、本発明の第１実施形態における移動通信端末装置、アンテナ切替え制御部およびアンテナ切替え制御方法について説明する。移動通信端末装置の第１アンテナ１０１およぴ第２アンテナ１０２に到来する受信信号電力は基地局からの距離や障害物の有無などの物理的な条件、特に移動時においてはフェージングなどの電波伝播特性によって絶えずそれぞれ独立に変化している。また使用者が身に着けて保持する状態、置き方によって第１アンテナ１０１、第２アンテナ１０２のいずれかのアンテナが人体や近接する物体の影響で性能が劣化することがある。このため、常に良好な受信信号を得られるように第１アンテナ１０１と第２アンテナ１０２を選択的に切替えるアンテナ切替え制御を行うことが一般的である。本発明の第１実施形態では、アンテナ切替え制御部１１１は、カメラ動作制御部１０９がカメラ１０８の動作を制御する信号をモニタすることでカメラ１０８が動作中であるか否かを常に認知できるようにする。まず、待ち受け時にカメラ１０８が動作中となった場合には、記憶部１１０に記憶された図２に示す対応表から、待ち受け時のカメラ１０８動作中に対応付けられたアンテナが、第１アンテナ１０１と第２アンテナ１０２のうち、高い受信信号電力が得られるアンテナであるという情報を読み出し、第１アンテナ１０１と第２アンテナ１０２を順次切替え、それぞれを接続した際の受信信号電カを送受信制御部１０７を介して認知する。この結果から大きい受信信号電力が得られる方のアンテナに切替えて固定するように制御を行う。すなわちカメラ１０８が非動作の時と全く同じ動作を行う。またテレビ電話など通話中にカメラ１０８が動作中となった場合には、まず送受信制御部１０７が送信回路１０５を制御する信号をモニタすることで、現在の送信電力を認知する。ここで現在の送信電カが例えば−３０ｄＢｍであった場合には、記憶部１１０に記億された図２に示す対応表から、通話、送信電カ−３０ｄＢｍ時のカメラ１０８動作中に対応付けられたアンテナが、第１アンテナ１０１と第２アンテナ１０２のうち、高い受信信号電カカが得られるアンテナであるという情報を読み出し、待ち受け時と同様の制御を行う。すなわち、カメラ動作と通信中の条件が重なったとしても送信電力によってはカメラ非動作時や待ち受け時と同じ動作を行う。一方現在の送信電カが例えば＋２０ｄＢｍだった場合には、記憶部１１０に記憶された図２に示す対応表から、通話、送信電カ＋２０ｄＢｍ時のカメラ１０８動作中に対応付けられたアンテナが第２アンテナ１０２であるという情報を読み出し、直ちにアンテナを第２アンテナ１０２に切替えるように制御を行う。ここでは、カメラ８の撮影データに影響を及ぼす送信電力を予め調べた結果から、影響の無い程度に送信電力が低い場合には第１アンテナ１０１と第２アンテナ１０２のうち、高い受信電力が得られるアンテナを選択するようにし、影響が有る程度に送信電力時が高い場合には、第２アンテナ１０２を対応付けておく。このように送信電カがある一定の値よりも高い場合には、受信信号電力の大小に関係なく、直ちに対応付けられたアンテナに切替えるように制御を行う。
【００２３】
具体的なアンテナ切替え制御の例として、アンテナ切替え回路１０３が図３に示すように印加する電圧によって接点が切り替わるものである場合には、第１アンテナに切替える場合には０Ｖを印加し、第２アンテナに切替える場合には３Ｖを印加するようにする。
【００２４】
一般的に、カメラ本体、或いは撮影データの処理回路、データメモリ等の回路素子は小型の移動通信端末装置において比較的に大きな体積を占める。また、送信回路１０５がアンテナを介して放射される送信信号は比較的高い電力であり、この送信信号が他の電気回路に飛び込み、意図しないノイズを発生させることがある。カメラ部がアンテナと近接することでこのような問題は顕著に現れ、カメラから撮影データを取り込み、処理を行う過程でノイズが発生し、表示される画像に乱れを生じさせてしまう。特に移動通信端末に複数のアンテナを配置する場合には、全てのアンテナを前記ノイズの発生が無い状態に配置することは困難である。すなわち、カメラ本体やその周辺回路との物理的な位置関係によって、ノイズを発生し易いアンテナと発生し難いアンテナが存在する。このような状況において、通話中のカメラ動作時に受信信号電カのみを反映してアンテナの切替え制御を行うと、ノイズを発生し易いアンテナが選択されカメラの撮影データにノイズが発生し、表示、或いは保存される画像データに大きな乱れが生じる可能性がある。本発明の第２実施形態では、テレビ電話などの通話中のカメラ動作時には、送信電力に応じてアンテナの選択制御の方法を変更し、送信電力がカメラの撮影データに影響を及ぼす程度に高い場合には、その影響度が最小となるアンテナに切替える制御を行うため、通話中におけるカメラ画質劣化などの性能劣化を未然に防ぐことができる。
【００２５】
尚、第１実施形態では、アンテナの構成を、第１アンテナ１０１と第２アンテナ１０２の２本として説明した。しかし、本実施形態はアンテナの数を限定するものではない。例えば、アンテナをさらに第３アンテナ、第４アンテナと増やした場合においても、撮影データヘ与えるノイズによるカメラ画質の劣化が最小となるアンテナを予め調べ、通話中のカメラ動作時のアンテナとして対応付けて記憶部１１０に設定することによって同様の効果が得られる。またこの場合のアンテナ切替え回路１０３は、アンテナの数だけ接点を増やしたものに変更し、具体的な制御方法としては、接点の数に見合うように制御信号の数を増やすことで対応することが可能である。
【００２６】
（実施の形態２）
次に図４を参照して、本発明の第２実施形態における移動通信端末装置、アンテナ切替え制御プログラムおよびプログラム記憶装置について説明する。
【００２７】
図４は本発明の第２実施形態における移動通信端末装置の構成例を示すブロック図である。図４において、図１のものと同一の部分については、図１のその部分と同一の符号を付してその説明を省略し、異なる部分について重点的に説明する。図４において図１と異なる部分は、記憶部１１０を削除し、アンテナ切替え制御部１１１をマイクロプロセッサ４０１とプログラム記憶部４０２とで置き換えて構成した点にある。プログラム記憶部には、マイクロプロセッサ５０１を通信中のカメラ動作時に選択すべきアンテナを、送信電力に対応付けて予め設定して記憶する手段と、通信中のカメラ動作時に前記予め設定されたアンテナに切替えて、無線回路に接続する制御手段として機能させるためのプログラムが格納されている。
【００２８】
以下図４を参照して、本発明の第２実施形態における移動通信端末装置、アンテナ切替え制御プログラムおよぴプログラム記憶装置について説明する。まず、プログラム記憶部４０２に記憶されるプログラムによって、マイクロプロセッサ５０１を、カメラ動作制御部１０９がカメラ１０８の動作を制御する信号をモニタしカメラ１０８が動作中であるか否かを常に認知できるように動作させる。この結果カメラ１０８が非動作の場合には、第１アンテナ１０１と第２アンテナ１０２を順次切替え、それぞれを接続した際の受信信号電力を送受信制御部１０７を介して認知し、この結果から大きい受信信号電力が得られる方のアンテナに切替えて固定するように制御させる。また、テレビ電話など通信中のカメラ動作時にはマイクロプロセッサ５０１を、送受信制御部１０７が送信回路１０５を制御する信毎をモニタし送信電力を常に認知できるように動作させる。ここで現在の送信電力が例えば−３０ｄＢｍであった場合には、第１アンテナ１０１と第２アンテナ１０２を順次切替え、それぞれを接続した際の受信信号電力を送受信制御部１０７を介して認知し、この結果から大きい受信信号電力が得られる方のアンテナに切替えて固定するように制御させる。すなわち、カメラ動作と通信中の条件が重なったとしても送信電力によってはカメラ非動作時や待ち受け時と同じ動作を行わせる。また、送信電力が例えば、２０ｄＢｍの場合には直ちに、予め対応付けられた第２アンテナ１０２に切替えるように制御させる。このように通話中のカメラ動作時には、各送信電カに対応付けてアンテナの制御方法を変更する。ここでは、カメラ８の撮影データに影響を及ぼす送信電力を予め調べた結果から、影響の無い程度に送信電カが低い場合には第１アンテナ１０１と第２アンテナ１０２のうち、高い受信電力が得られるアンテナを選択するようさせ、影響が有る程度に送信電力時が高い場合には、カメラ８の撮影データヘの影響が最小になるアンテナを調べた結果から第２アンテナ１０２を選択するようにさせる。このように送信電カがある一定の値よりも高い場合には、受信信号電力の大小に関係なく、直ちに対応付けられたアンテナに切替えるように制御させる。
【００２９】
ここでは送受信制御部１０７およびカメラ制御部１０９をマイクロプロセッサ５０１と別に構成したが、これらの機能もプログラムによってマイクロプロセッサ５０１に持たせるようにしても良い。本発明の第２実施形態では、マイクロプロセッサを通信中のカメラ動作時に選択すべきアンテナを、送信電力に対応付けて予め設定して記憶する手段と、通信中のカメラ動作時に前記予め設定されたアンテナに切替えて、無線回路に接続する制御手段として機能させることで、送信電カがカメラの撮影データに影響を及ぼす程度に高い場合には、その影響度が最小となるアンテナに切替える制御を行うことができるため、通話中におけるカメラ画質劣化などの性能劣化を未然に防ぐことができる。またこのような構成とすることで、ひとつのマイクロプロセッサに他の制御機能と共存させることが可能であり、よりコンパクトに、安価に構成することができる。
【産業上の利用可能性】
【００３０】
本発明は、カメラ機能と通信機能の干渉による性能劣化を抑え、安定して高性能を実現することが可能な効果を有し、携帯電話をはじめとする移動通信端末装置等に有用である。
【図面の簡単な説明】
【００３１】
【図１】本発明の第１実施形態における移動通信端末装置の実施例の構成を示す図
【図２】本発明の第２実施形態におけるカメラ動作状態、各通信状態および通話時の各送信電力に対応付けられたアンテナ制御方法を示す図
【図３】本発明の第１実施形態における印加電圧によるアンテナ切替え制御の一例を示す図
【図４】本発明の第２実施形態における移動通信端末装置の実施例の構成を示す図
【図５】従来の移動通信端末装置の一例の構成を示す図
【図６】通信形態による移動端末装置を保持する形態の違いを示す図
【符号の説明】
【００３２】
１０１    第１アンテナ
１０２    第２アンテナ
１０３    アンテナ切替え回路
１０４    デュプレクサ
１０５    送信回路
１０６    受信回路
１０７    送受信制御部
１０８    カメラ
１０９    カメラ動作制御部
１１０    記憶部
１１１    アンテナ切替え制御部
１１２    インタフェース
４０１    マイクロプロセッサ
４０２    プログラム記憶部
４０３    アンテナ切替え制御部
５０１    ＣＰＵ
５０２    ＲＯＭ
５０３    ＲＡＭ
【図１】
2007259199.tif 000003
【図２】
2007259199.tif 000004
【図３】
2007259199.tif 000005
【図４】
2007259199.tif 000006
【図５】
2007259199.tif 000007
【図６】
2007259199.tif 000008